(57)【要約】      （修正有）【課題】プリセットスイッチに記憶されたレンズ位置が現在撮影している映像に対してどの様な映像になるか確認可能となる表示機能を有するレンズシステムを提供する。【解決手段】レンズ固有情報、レンズ位置情報、記録されたプリセット位置情報から、現在撮影中の映像の画角とプリセット完了時の画角をとその大小関係を求めて画角情報を決定し、その画角情報と現在撮影中の映像からプリセット完了時の画像データを作成し表示器に表示を行う。【選択図】図５
2012100196.tif 000002
【特許請求の範囲】
【請求項１】
複数のレンズ位置を記憶再生するプリセット機能を有し、画像の表示手段を有するレンズシステムにおいて、レンズ固有情報、レンズ位置情報、記録されたプリセット位置情報から、現在撮影中の映像の画角とプリセット完了時の画角をとその大小関係を求めて画角情報を決定する画角情報決定手段と、前記画角情報決定手段より求められた画角情報と現在撮影中の映像からプリセット完了時の画像データを作成する表示画像作成手段を有し、前記表示画像作成手段で作成された画像データを前記表示手段に表示することを特徴とするレンズシステム。
【請求項２】
前記画角情報決定手段はズーム、フォーカス、エクステンダの位置情報から画角を決定し、画角の大小関係を求めることを特徴とする請求項１のレンズシステム。
【請求項３】
前記表示画像作成手段は、現在撮影されている映像にプリセット完了時の画角枠とプリセット番号を重ねた画像データを作成することを特徴とする請求項１のレンズシステム。
【請求項４】
前記表示画像作成手段は、プリセット完了時の画角が現在撮影されている映像の画角より大きい場合、現在撮影中の映像を縮小し残った部分を擬似映像で補った画角データを作成することを特徴とする請求項１のレンズシステム。
【請求項５】
前記表示画像作成手段は、プリセット完了時の画角を前記表示器全体に表示するサイズに変換する画像データを作成することを特徴とする請求項１のレンズシステム。
【発明の詳細な説明】
【技術分野】
【０００１】
本発明は、プリセット機能を持つレンズシステムに関する。
【背景技術】
【０００２】
放送テレビレンズにはズーム、フォーカス、ＥＸＴ位置を記憶し、スイッチ操作１つでその位置にレンズを動かすプリセット機能をもつコントローラが存在する。また、プリセット機能を持つコントローラには、複数個記憶するスイッチがある為、記憶されたレンズ位置がどのスイッチに割り当てられているか確認する為の技術が開示されている。
【０００３】
特許文献１のプリセット機能を持つコントローラは、ズーム位置を記憶したスイッチに対し、その記憶したズーム位置が表示され、プリセットスイッチにどのズーム位置が記憶されているか確認可能となっている。
【先行技術文献】
【特許文献】
【０００４】
【特許文献１】特開２００１−１６０９１２号公報
【発明の概要】
【発明が解決しようとする課題】
【０００５】
しかしながら上記記憶位置は、レンズのズームの移動可能な範囲に対する位置を表示しているため、現在撮影している映像に対し、プリセット後どの様な映像になるかを確認することが困難であるという問題がある。レンズの位置のみを記憶するプリセット動作では、三脚のＰＡＮ、ＴＩＬＴ位置により、記憶されたレンズ位置にレンズが移動しても、記憶時と同じ映像が再現は出来ない可能性がある。そのため、プリセット後どの様な映像になるかをプリセット前に確認することが重要である。
【０００６】
そこで、本発明の例示的な目的は、プリセットスイッチに記憶されたレンズ位置が現在撮影している映像に対してどの様な映像になるか確認可能となるレンズシステムを提供することにある。
【課題を解決するための手段】
【０００７】
上記目的を達成するために、本発明のレンズ装置は、複数のレンズ位置を記憶再生するプリセット機能を有し、画像の表示手段を有するレンズシステムにおいて、レンズ固有情報、レンズ位置情報、記録されたプリセット位置情報から、現在撮影中の映像の画角とプリセット完了時の画角をとその大小関係を求めて画角情報を決定する画角情報決定手段と、前記画角情報決定手段より求められた画角情報と現在撮影中の映像からプリセット完了時の画像データを作成する表示画像作成手段を有し、前記表示画像作成手段で作成された画像データを前記表示手段に表示することを特徴とする。
【０００８】
本発明の更なる目的又はその他の特徴は、以下、添付の図面を参照して説明される好ましい実施形態等によって明らかにされるであろう。
【発明の効果】
【０００９】
本発明によれば、各プリセットスイッチに記憶されているプリセット位置が現在の映像に対する映像イメージでいつでも確認可能となり、プリセット実行後の構図を決めやすくなる。
【図面の簡単な説明】
【００１０】
【図１】本発明の構成を示した実施形態１のブロック図
【図２】本発明実施形態１のプリセット機能付きフォーカスコントローラ外観図
【図３】本発明における優先順位決定のフローチャート
【図４】本発明におけるプリセットで記憶する内容の組み合わせ図
【図５】本発明における表示器への表示方法を示す図
【図６】本発明における表示器への表示方法を示す図
【図７】本発明における表示器への表示方法を示す図
【図８】本発明における表示器へのプレビュー表示を示す図
【図９】本発明の構成を示した実施形態２のブロック図
【発明を実施するための形態】
【００１１】
以下に、本発明の実施の形態を添付の図面に基づいて詳細に説明する。
【００１２】
《第１の実施形態》
図１は本発明の構成図である。レンズ１００は、フォーカスレンズ１０１，ズームレンズ１０２、ＩＲＩＳ羽１０３、エクステンダーターレット１０４があり、エクステンダーターレット１０４には１Ｘ，２ＸのＥＸＴが装着されており、それぞれのＥＸＴに切換可能となっている。
【００１３】
上記１０１〜１０４のレンズ構成は電動で制御可能な制御部１０５〜１０８をそれぞれ有し、これらの制御部はＣＰＵ１０９からの指令例で動作する。ＣＰＵ１０９は、通信回路１１０を介して、ズームコントローラ５００，プリセット機能付きフォーカスコントローラ４００と通信を行い、レンズのコントロール指令の取得を行う。カメラ２００とも通信回路１１０を介し通信を行う。ズームコントローラ５００は、レンズ１００のズームおよび、ＥＸＴのコントローラである。
【００１４】
また、プリセット機能付きフォーカスコントローラ４００には、操作部に付属のエンコーダー４１１があり、操作部操作によるエンコーダーの出力をカウンタ４１２でカウントし、ＣＰＵ４０６でフォーカスのコントロールを作成する。プリセット機能に関しては、スイッチにレンズ位置を割り付け、またそのレンズ位置へ移動させるためのプリセットスイッチ４０１〜４０３があり、プリセット動作が３ヶ設定可能となっている。
【００１５】
またモードとしてプリセット実行モード、レンズ位置記憶モードが存在し、これらの切換えを行う為にプリセットメモリスイッチ４０４がある。レンズ位置記憶モードで記憶するためにＦｌａｓｈメモリ４０５、全体の制御を行うＣＰＵ４０６が構成されている。
レンズ位置記憶モードで動作させるには、プリセットメモリスイッチ４０４を操作でモード切替を行う。次に記憶させたいズーム、ＥＸＴ位置にズームコントローラ５００、フォーカス位置にプリセット機能付きフォーカスコントローラー４００でレンズを移動を行う。
【００１６】
その後、プリセットスイッチ４０１〜４０３を押すことで、現在、レンズが停止しているズーム、フォーカス、ＥＸＴの位置が不揮発メモリ４０３にそれぞれのプリセット領域に記憶される。記憶動作を完了させたい場合は、再び、プリセットメモリスイッチ４０４を操作しプリセット実行モードに切り換える。プリセット実行モードでプリセットスイッチ４０１〜４０３を操作するとレンズと通信を行うための通信回路４０７を介してレンズ１００のＣＰＵに記憶されているレンズのコントロール値が送信されプリセット動作が実行される。
【００１７】
また、現在記憶されているプリセット位置と現在の映像を表示するためには、表示器４１０とプリセットの位置と現在のレンズ位置での画角の関係を決定する画角情報決定手段４０８、表示器４１０に表示させる画像を作成する表示画像作成手段４０９が構成されている。図２にプリセット機能付きフォーカスコントローラ４００の外観を示す。図３は、画角決定手段４０８で記憶されたプリセット位置での画角、現在撮影中の画角を求め、その表示用指示データを作成するフローチャートである。
【００１８】
現在のズーム１０２，フォーカス１０１，エクステンダ１０４の位置を取得し（Ｓ１）、現在のレンズ位置に対する画角の決定を行う（Ｓ２）。位置の取得は、通信回路４１３を介してレンズ１００と通信を行うことで取得をおこなう。次にプリセットスイッチ４０１〜４０３に対応するプリセット１〜３の記憶位置が更新されているかチェックを行い（Ｓ３）、更新されている場合には、その更新位置を別メモリにセーブを行う（Ｓ４）。
【００１９】
プリセット１〜３の記憶位置が更新されていいない場合に電源起動時かを確認（Ｓ１０）し、電源起動時であれば、Ｓ４の処理を行う。Ｓ４処理を行った後、プリセット位置のデータとレンズの画角データからその画角を決定する（Ｓ５）。電源起動時でなく、プリセット位置が更新されていない場合は、Ｓ４，Ｓ５動作の省略を行う。プリセット位置での画角、現在のレンズ位置画角が決定されるとこれらの画角順位を小さい順に設定を行う（Ｓ６）。現在のレンズ位置画角が最大画角かチェックし（Ｓ７）、最大画角である場合は現在の映像を表示器枠いっぱいのサイズ（基準サイズ）に決定する。また、プリセット位置での画角が一番大きい場合は、プリセット位置画角を表示器枠いっぱいのサイズ（基準サイズ）と決定する。
【００２０】
図４はプリセット位置の画角を決定する場合（Ｓ５）、画角を決めるズーム、フォーカス、エクステンダの要素に対しプリセット位置で記憶されている組み合わせを示したのが図である。図４の○はプリセットしている内容、×はプリセットしていない内容である。この図でわかる様に７種類の組み合わせが存在し、×のプリセットされていない内容がある場合には、現在のレンズ位置のデータを使用してＳ５のプリセット位置の画角決定を行う。
【００２１】
次に、現在撮影している画像を取得する方法について説明する。プリセット機能付きフォーカスコントローラ４００からその表示器４１０の表示枠サイズの画像を通信により、一定間隔でレンズ１００に要求を出し、レンズ１００はその要求をカメラ２００に行う。カメラ２００はその要求に対して、レンズ用画像作成部２０３で画像を作成しその画像をレンズに送信する。レンズ１００はカメラ２００受け取った画像をプリセット機能付きフォーカスコントローラ４００に送信を行う。プリセット機能付きフォーカスコントローラ４００は、受信した画像をＲＡＭ４０７に保存する。
【００２２】
図１のシステムでは、この現在の画像をレンズ１００経由でカメラ２００から取得したが、フォーカスコントローラ４００自身で表示器４１０の表示枠サイズ画像を作成してもよい。この場合は、プリセット機能付きフォーカスコントローラ４００からカメラの映像を直接有線または無線で取り込む手段を設けることで実現できる。
【００２３】
図５は、図３のフローチャートステップＳ８で決定された画角情報とＲＡＭ４０７に保存されている現在撮影している画像から表示画像作成手段４０９で作成された画像を表示器４１０に表示した図である。現在の映像は表示器４１０の表示枠いっぱいに表示され、この画角を基準として、画角順位に従った、枠を合成している。合成した枠にはプリセット番号がわかる様、その番号が表示される。
【００２４】
図６は、図３のフローチャートステップＳ９で決定された画角情報とＲＡＭ４０７に保存されている現在撮影している画像から表示画像作成手段４０９で作成された画像を表示器４１０に表示した図である。プリセット位置の画角が最大画角となるため、現在撮影している画像は最大画角に対して縮小された表示となる。現在撮影している画角より小さいプリセット位置画角については、図５と同様、現在の映像の上に枠が重ねられる。
【００２５】
プリセット位置の最大画角画像は現在撮影の画角より大きくなるが、増えた画各領域分の映像は存在しなためグレーなどの単一色で表示する様に表示画像作成手段４０９が画像を作成する。ここで、プリセットに記憶されているレンズ位置が
プリセット１：焦点距離２０ｍｍ  エクステンダ１
プリセット２：焦点距離８０ｍｍ  エクステンダ１Ｘ
プリセット３：焦点距離８０ｍｍ  エクステンダ２ｘ
とすると、プリセット２とプリセット３は焦点距離が同じであるがエクステンダの違いから画各枠が異なっている。
【００２６】
図７は図３のフローチャートステップＳ９で決定された画角情報とＲＡＭ４０７に保存されている現在撮影している画像から表示画像作成手段４０９で作成された画像を表示器４１０に表示したもののうち、現在撮影の画角が最小画角の場合の表示となる。現在撮影の画角より外側は映像が存在しない為、グレーなどのすべて単一色に表示され、単一色部にプリセット時の画角枠が重ねて表示される。
【００２７】
次に、図８はプリセットスイッチ４０１〜４０３を長押しした場合に、そのプリセットの画角みを表示器４１０の表示枠全体にプレビュー表示する場合の表示画面である。図５〜図７のプリセット枠で表示された部分の画像を表示器４１０の表示枠いっぱいに表示を行う。この表示はプリセットスイッチ４０１〜４０３を離すと図５〜図７の表示に戻る。
また、プリセットプリセットスイッチ４０１〜４０３を短時間で押して離すと、通常のプリセット動作が開始されレンズ１００にプリセット位置のコントロールが送信される。ここで、プリセット動作中は、表示器４１０の表示が実行されているプリセットの表示枠全体へのプレビュー表示に変更され、プリセット動作完了後、図５〜図７の表示に戻る。
【００２８】
《第２の実施形態》
図９は、実施形態１のプリセット機能付きフォーカスコントローラ４００に表示器が存在しない場合の構成で、図５〜図８がカメラ２００にあるビューファインダー２０６に表示される部分が異なる。プリセット機能付きフォーカスコンコントローラー４００は、図３のフローチャートに従い、画角情報を求めた後、レンズ１００にこの画角情報を送り、レンズ１００よりカメラ２００に画角情報を送る。
【００２９】
この画角情報と現在の映像より、カメラ２００ではビューファインダー映像作成部２０７でビューファインダー２０６用の映像を作成し、ビューファインダー２０６に図５〜図８の表示が行われる。ただしビューファインダー２０６は撮影中の映像を表示するのことが主目的である為、図５〜図８の表示はズームコントローラ５００やプリセット機能付きフォーカスコントローラ４００にスイッチ追加しそのスイッチを押した場合のみ表示する様にしてもよい。
【００３０】
以上、本発明の好ましい実施形態について説明したが、本発明はこれらの実施形態に限定されないことはいうまでもなく、その要旨の範囲内で種々の変形及び変更が可能である。
【符号の説明】
【００３１】
１００    レンズ
１０１    フォーカスレンズ
１０２    ズームレンズ
１０３      ＩＲＩＳ羽
１０４      エクステンダーターレット
２００      カメラ
２０３      レンズ用画像作成部
・  ビューファインダー
・  ビューファインダー映像作成部
４００      プリセット機能付きフォーカスコントローラ
４０８      画角情報決手段
４０９      表示画像作手段
４１０      表示器
５００      ズームコントローラ
【図１】
2012100196.tif 000003
【図２】
2012100196.tif 000004
【図３】
2012100196.tif 000005
【図４】
2012100196.tif 000006
【図５】
2012100196.tif 000007
【図６】
2012100196.tif 000008
【図７】
2012100196.tif 000009
【図８】
2012100196.tif 000010
【図９】
2012100196.tif 000011